Podtech/llm-jp-corpus-v4-ja_patent huggingface dataset:
【手続補正書】
【提出日】平成25年3月25日(2013.3.25)
【手続補正１】
【補正対象書類名】特許請求の範囲
【補正対象項目名】全文
【補正方法】変更
【補正の内容】
【特許請求の範囲】
【請求項１】
少なくとも１つの青色遮断要素と、少なくとも１つのフォトクロミック要素とを含む眼科システムであって、
眼科システムは、眼科レンズを含み、
青色遮断要素は、４００ｎｍ〜４６０ｎｍの青色光波長の選択範囲を連続的かつ選択的にフィルタ除去し、該選択範囲の下側および上側で可視光波長の少なくとも８０％を透過させ、
フォトクロミック要素は、活性化した場合、青色光波長の選択範囲外にある波長を含む可視光をフィルタ除去するようにしたシステム。
【請求項２】
活性化したシステムでの可視スペクトルの平均透過率は、不活性システムでの可視スペクトルの平均透過率より少なくとも２０％小さい、請求項１記載のシステム。
【請求項３】
フォトクロミック要素は、ＵＶＢ、ＵＶＡ、青色光、可視光および赤外波長の少なくとも１つによって活性化される、請求項１記載のシステム。
【請求項４】
ＵＶフィルタをさらに含む、請求項１記載のシステム。
【請求項５】
該システムは、眼科レンズ、眼鏡、コンタクトレンズ、眼内レンズ、角膜インレー、角膜アンレー、角膜移植、電気活性レンズ、フロントガラスまたは窓である、請求項１記載のシステム。
【請求項６】
フォトクロミック要素および青色遮断要素の少なくとも１つは、該システム全体に渡って存在している、請求項１記載のシステム。
【請求項７】
青色遮断要素は、フォトクロミック要素と物理的に接触してない、請求項１記載のシステム。
【請求項８】
青色遮断要素およびフォトクロミック要素は、混合している、請求項１記載のシステム。
【請求項９】
不活性状態で、システムは、１５未満の黄色度を有する、請求項１記載のシステム。
【請求項１０】
青色遮断要素は、青色光波長の選択範囲で光の少なくとも１０％を選択的にフィルタ除去する、請求項１記載のシステム。
【手続補正書】
【提出日】平成25年1月17日(2013.1.17)
【手続補正１】
【補正対象書類名】特許請求の範囲
【補正対象項目名】全文
【補正方法】変更
【補正の内容】
【特許請求の範囲】
【請求項１】
複数のゲルストリップにおいて等電点電気泳動をするための装置であって、
前記装置は、
複数の電極が取り付けられたフレームであって、
各電極が上面及び下面を持つ内方電極端で終端し、
上面及び下面の双方が露出した電極材料を具備する、
フレームと、
複数の溝を有するトレイであって、
前記溝のそれぞれがフロアを有し、
前記溝が、１つの溝に付き１つのゲルストリップと前記ゲルストリップの上又は下に位置する１つの内方電極端とを受容するようなサイズを有して隔てられている、
トレイと、
を有し、
前記内方電極端が前記溝内部に受容され、
前記電極の各々の前記内方電極端の高さが、前記内方電極端が前記ゲルストリップを前記上面に載置することを許容しつつ前記フロアと直接接触するゼロ高さと、前記下面が、前記ゲルストリップの上側と接触しながらゲルストリップを受容するのに充分な距離だけ前記フロアの上に上昇されるような有限高さとの間で可変である、
装置。
【請求項２】
前記電極は、前記内方電極端の全てを前記フロアの上の均一な高さに制限するように、前記フレームに取り付けられた、
請求項１に記載の装置。
【請求項３】
前記電極は、前記内方電極端のそれぞれの高さを、他の全ての内方電極端から独立して制御できるように、前記フレームに取り付けられる、
請求項１に記載の装置。
【請求項４】
前記電極は、前記内方電極端を前記フロアに向かって弾性的に付勢するように、前記フレームに取り付けられた、
請求項１に記載の装置。
【請求項５】
前記電極の各々は、前記フレームに枢動可能に取り付けられ、
前記フレームは、前記内方電極端の各々を前記トレイのフロアに向かって弾性的に付勢するバネ手段を具備する、
請求項１に記載の装置。
【請求項６】
前記溝の各々は端壁で終端し、
前記装置はさらに、前記端壁を受容するようなサイズのスロットを具備する、
請求項１に記載の装置。
【請求項７】
さらに、前記フレームを前記トレイに結合するラッチ連結部を具備し、
前記ラッチ連結部は指の圧力によって解放可能である、
請求項１に記載の装置。
【請求項８】
１対の前記フレームを具備し、
さらに、前記フレームのうちの１つを、前記溝の対向する端部にある前記トレイの２つの端部のそれぞれに結合する手段を具備する、
請求項１に記載の装置。
【請求項９】
ゲルストリップに対して同時に、又は単一のゲルストリップホルダ内で独立して個々の等電点電気泳動をするにあたって、複数のサンプルに等電点電気泳動を実行する方法であって、
前記方法が、
（ａ）前記ゲルストリップを、複数の溝を持つトレイの溝に配置するステップであって、
各溝は、フロアを有し、かつ１つのゲルストリップを前記フロアに載せた状態で受容するようなサイズである、
ステップと、
（ｂ）ステップ（ａ）以前に又は以後において、１つのゲルストリップに付き１つのサンプルの割合で、前記サンプルを前記ゲルストリップに適用するステップと、
（ｃ）ステップ（ａ）及び（ｂ）の以前若しくは以後において、又はステップ（ａ）とステップ（ｂ）との間において、前記トレイ上にフレームを配置するステップであって、
前記フレームはこれに取付けられた複数の電極を有し、
各電極は互いに平行な上面及び下面を持つ内方電極端で終端し、
上面及び下面の双方が露出した電極材料を具備し、
前記内方電極端は、１つの溝に付き１つの内方電極端を備えかつその内部に上面及び下面の双方を含む前記溝内部に適合するようなサイズを有して隔てられ、ステップ（ａ）、（ｂ）及び（ｃ）により、前記ゲルストリップの各々が単一の内方電極端と直接接触することになる、
ステップと、
（ｄ）前記ストリップと前記内方電極端との間の前記接触により、各前記ストリップを通して電位を印加して、等電点電気泳動によって前記ゲルストリップに沿って前記サンプル内の溶質を分離するステップと、
を含む、
方法。
【請求項１０】
ステップ（ｃ）がステップ（ａ）の前に実施され、
ステップ（ａ）が前記ゲルストリップを前記内方電極端の上に配置することを含む、
請求項９に記載の方法。
【請求項１１】
ステップ（ａ）がステップ（ｃ）の後に実施され、
ステップ（ｃ）が前記内方電極端を前記ゲルストリップの上に配置することを含む、
請求項９に記載の方法。
【請求項１２】
前記電極は、前記内方電極端が挿入された前記溝の前記フロアの上の各内方電極端の高さが個々に変化できるように、前記トレイに取り付けられた、
請求項９に記載の方法。
【請求項１３】
前記電極は、前記内方電極端を前記フロアに向かって弾性的に付勢して取り付けることによって、前記フレームに取り付けられた、
請求項９に記載の方法。
【請求項１４】
前記電極は前記フレームに枢動可能に取り付けられ、
前記フレームは、前記内方電極端の各々を前記トレイのフロアに向かって弾性的に付勢するバネ手段を具備する、
請求項９に記載の方法。
【請求項１５】
ステップ（ｃ）は、前記溝の対向する端部にある前記トレイの２つの端部の各々に対して１個のフレームを割り当てて前記トレイに２つの前記フレームを配置して、それにより各前記ゲルストリップの各端部を前記１つのフレーム上の内方電極端と直接接触するように配置することを含み、
ステップ（ｄ）は、各ゲルストリップの対向する端部にある内方電極端同士の間に電位を印加することを含む、
請求項９に記載の方法。
【誤訳訂正書】
【提出日】平成25年3月25日(2013.3.25)
【誤訳訂正１】
【訂正対象書類名】明細書
【訂正対象項目名】００８９
【訂正方法】変更
【訂正の内容】
【００８９】
【表１】
2012522222.tif 000001
【誤訳訂正２】
【訂正対象書類名】明細書
【訂正対象項目名】００９０
【訂正方法】変更
【訂正の内容】
【００９０】
【表２】
2012522222.tif 000002
【誤訳訂正３】
【訂正対象書類名】特許請求の範囲
【訂正対象項目名】全文
【訂正方法】変更
【訂正の内容】
【特許請求の範囲】
【請求項１】
ＰｒＰScの存在又は不在の、それを有することが疑われる生物試料における検出のための方法であって、
ａ．試料マトリックスからＰｒＰScを実質的に分離することによって、該試料中に存在しうるＰｒＰScを濃縮する工程、
ｂ．濃縮したＰｒＰScを少なくとも１つの分子標識で標識して、標識したＰｒＰScを生成させる工程、及び
ｃ．アトモル量の標識したＰｒＰScを検出することができる装置上で、標識したＰｒＰScを検出する工程
を含む、方法。
【請求項２】
前記ＰｒＰScを消化しない、請求項１に記載の方法。
【請求項３】
前記ＰｒＰScの濃縮及び標識したＰｒＰScの検出の間の時間が、４８時間以下である、請求項１に記載の方法。
【請求項４】
前記ＰｒＰScの濃縮及び標識したＰｒＰScの検出の間の時間が、２４時間以下である、請求項１に記載の方法。
【請求項５】
前記試料が、脳組織、神経組織、血液、尿、リンパ液、髄液、又はそれらの組合せを含む、請求項１に記載の方法。
【請求項６】
前記試料が、標識したＰｒＰScの約０．１アトモル〜約２００アトモルを含む、請求項１に記載の方法。
【請求項７】
前記試料が、シード重合を受けない、請求項１に記載の方法。
【請求項８】
前記分子標識が、蛍光標識、リン光標識、放射性同位体標識、又はそれらの組合せである、請求項１に記載の方法。
【請求項９】
前記分子標識が、蛍光標識した、抗ＰｒＰ抗体である、請求項８に記載の方法。
【請求項１０】
前記分子標識が、さらに、ビオチン化抗ＰｒＰ抗体を含む、請求項９に記載の方法。
【請求項１１】
前記ＰｒＰScを濃縮する工程が、抗体、免疫沈降、磁気ビーズ、又はそれらの組合せを使用する、請求項１に記載の方法。
【請求項１２】
ＰｒＰScの存在又は不在の、それを有することが疑われる生物試料における検出のための方法であって、
ａ．ｓＰＭＣＡによって前記試料中に存在するＰｒＰScを増幅する工程、
ｂ．試料マトリックスからＰｒＰScを実質的に分離することによって、該試料中に存在しうるＰｒＰScを濃縮する工程、
ｃ．濃縮したＰｒＰScを少なくとも１つの分子標識で標識して、標識したＰｒＰScを生成させる工程、及び
ｄ．アトモル量の標識したＰｒＰScを検出することができる装置上で、標識したＰｒＰScを検出する工程
を含む、方法。
【請求項１３】
前記ＰｒＰScを濃縮する工程が、分子抗体、免疫沈降、磁気ビーズ、又はそれらの組合せを使用する、請求項１２に記載の方法。
【請求項１４】
前記ＰｒＰScを消化しない、請求項１２に記載の方法。
【請求項１５】
前記ＰｒＰScの増幅及び標識したＰｒＰScの検出の間の時間が、４８時間以下である、請求項１２に記載の方法。
【請求項１６】
前記ＰｒＰScの増幅及び標識したＰｒＰScの検出の間の時間が、２４時間以下である、請求項１２に記載の方法。
【請求項１７】
前記試料が、脳組織、神経組織、血液、尿、リンパ液、髄液、又はそれらの組合せを含む、請求項１２に記載の方法。
【請求項１８】
前記試料が、標識したＰｒＰScの約０．１アトモル〜約２００アトモルを含む、請求項１２に記載の方法。
【請求項１９】
前記分子標識が、蛍光標識、リン光標識、放射性同位体標識、又はそれらの組合せである、請求項１２に記載の方法。
【請求項２０】
前記ＰｒＰScを濃縮する工程が、モノクローナル抗体又はそれらの抗原−結合部によって生じ、その際該抗体が、ハイブリドーマ０８−１／８Ｅ９によって産生された抗体と実質的に同一である、重鎖及び軽鎖のアミノ酸配列を有する、請求項１２に記載の方法。
【請求項２１】
前記ＰｒＰScを標識する工程が、
ａ．モノクローナル抗体又はそれらの抗原−結合部、その際該抗体が、ハイブリドーマ０８−１／１１Ｆ１２によって産生された抗体と実質的に同一である、重鎖及び軽鎖のアミノ酸配列を有し、
ｂ．ビオチン化モノクローナル抗体又はそれらの抗原−結合部でキャプチャーされたＰｒＰScを標識すること、その際該抗体が、ハイブリドーマ０８−１／５Ｄ６によって産生された抗体と実質的に同一である、重鎖及び軽鎖のアミノ酸配列を有する、
によって生じる、請求項１２に記載の方法。
【請求項２２】
ＰｒＰScに結合し、かつモノクローナル第二抗体のＰｒＰScへの結合を高める、モノクローナル抗体又はそれらの抗原−結合部。
【請求項２３】
モノクローナル第二抗体のＰｒＰScへの結合後に高められて通常ＰｒＰScに結合する、モノクローナル抗体又はそれらの抗原−結合部。
【請求項２４】
モノクローナル第二抗体のＰｒＰScへの結合後に結合することができない、通常ＰｒＰScに結合する、モノクローナル抗体又はそれらの抗原−結合部。
【請求項２５】
ＰｒＰScの検出のためのキットであって、
ａ．ＰｒＰScに結合し、かつモノクローナル第二抗体のＰｒＰScへの結合を高める、モノクローナル第一抗体又はそれらの抗原−結合部、及び
ｂ．モノクローナル第一抗体のＰｒＰScへの結合後に高められてＰｒＰScに結合する、モノクローナル第二抗体又はそれらの抗原−結合部
を含む、キット。
【請求項２６】
前記第一抗体が、ハイブリドーマ０８−１／１１Ｆ１２によって産生された抗体と実質的に同一である、重鎖及び軽鎖のアミノ酸配列を有し、かつ前記第二抗体が、ハイブリドーマ０８−１／５Ｄ６によって産生された抗体と実質的に同一である、重鎖及び軽鎖のアミノ酸配列を有する、請求項２５に記載のキット。
【請求項２７】
さらに、ＰｒＰScを免疫沈降することができるモノクローナル第三抗体を含む、ＰｒＰScの検出のための請求項２５に記載のキット。
【請求項２８】
さらに、標識したＰｒＰScのアトモル量を検出することができる装置での協同のための、少なくとも１つのバイアル、キュベット又はキャピラリーを含む、ＰｒＰScの検出のための請求項２５に記載のキット。
【手続補正書】
【提出日】平成25年3月26日(2013.3.26)
【手続補正１】
【補正対象書類名】特許請求の範囲
【補正対象項目名】全文
【補正方法】変更
【補正の内容】
【特許請求の範囲】
【請求項１】
光学顕微鏡検査ツール用流体セルであって、
第１側と、第２の対向する側とを有する固相メンブレンと、
前記メンブレンの第１側に配置された第１流体チェンバであって、第１屈折率を有する第１流体を収容する、第１流体チェンバと、
前記メンブレンの第２側に配置された第２流体チェンバであって、第２屈折率を有する第２流体を収容し、前記第１屈折率が前記第２屈折率よりも高い、第２流体チェンバと、
を備えている、流体セル。
【請求項２】
請求項１記載の流体セルにおいて、前記固相メンブレンが、窒化シリコンで構成されている、流体セル。
【請求項３】
請求項１記載の流体セルにおいて、前記固相メンブレンが、単層誘電体材料で構成されている、流体セル。
【請求項４】
請求項１記載の流体セルにおいて、前記固相メンブレンが、多層誘電体材料で構成されている、流体セル。
【請求項５】
請求項１記載の流体セルにおいて、前記固相メンブレンが、シリコン・ウェハ上に堆積された窒化シリコン層で構成されている、流体セル。
【請求項６】
請求項５記載の流体セルにおいて、前記窒化シリコン層の厚さが、５から６０ｎｍである、流体セル。
【請求項７】
請求項５記載の流体セルにおいて、前記シリコン・ウェハがウィンドウを備えており、前記窒化シリコン層が前記ウィンドウを覆う、流体セル。
【請求項８】
請求項１記載の流体セルにおいて、前記第１流体が、水性緩衝溶液、水、または尿素で構成されている、流体セル。
【請求項９】
請求項１記の流体セルにおいて、前記第２流体が、細胞流体(cellular fluid)、細胞メンブレン、グリセロール、およびＣｓＣｌから成る１群から選択される、流体セル。
【請求項１０】
請求項１記載の流体セルにおいて、前記第１流体および前記第２流体が、水性緩衝剤である、流体セル。
【請求項１１】
請求項１記載の流体セルにおいて、光学的バイオマーカに結合された生体分子が、前記メンブレンの第２側に供給される、流体セル。
【請求項１２】
請求項１１記載の流体セルにおいて、前記生体分子が、ＤＮＡ分子、ＲＮＡ分子、またはタンパク質分子で構成されている、流体セル。
【請求項１３】
請求項１１記載の流体セルにおいて、前記光学的バイオマーカが、励起可能な蛍光体で構成されている、流体セル。
【請求項１４】
請求項１記載の流体セルにおいて、前記第１流体チェンバが、マイクロチャネルである、流体セル。
【請求項１５】
請求項１記載の流体セルにおいて、前記固相メンブレンが、少なくとも１つのナノポアを備えている、流体セル。
【請求項１６】
請求項１記載の流体セルにおいて、前記固相メンブレンが、複数のナノポアを備えている、流体セル。
【請求項１７】
請求項１記載の流体セルにおいて、前記固相メンブレンが、少なくとも１つのナノスリットを備えている、流体セル。
【請求項１８】
請求項１５記載の流体セルであって、更に、前記ナノポアを通して撮像しようとする生体分子を駆動するために、前記第１流体および前記第２流体の両端間に電位を印加するように構成されている第１および第２電極を備えている、流体セル。
【請求項１９】
単体ＤＮＡ分子を撮像する方法であって、
光学顕微鏡検査ツールの対物レンズに光を誘導するステップと、
第１流体を通過するように前記光を誘導するステップと、
第２流体において消衰照明の場を発生するために、窒化シリコン・メンブレンにおいて前記光を反射させるステップと、
前記消衰照明の場によって励起され前記単体ＤＮＡ分子に結合されている光学的バイオマーカによって放出される光を、撮像検出器に誘導するステップと、
を備えている、方法。
【請求項２０】
請求項１９記載の方法において、前記第１流体が、前記第２流体の屈折率よりも高い屈折率を有する、方法。
【請求項２１】
請求項１９記載の方法において、前記消衰照明の場が、前記第２流体内において発生される、方法。
【請求項２２】
請求項１９記載の方法において、前記単体ＤＮＡ分子が、前記窒化シリコン・メンブレン上に不動化される、方法。
【請求項２３】
請求項２２記載の方法において、前記単体ＤＮＡ分子が、前記第２流体内において、前記窒化シリコン・メンブレン上に不動化される、方法。
【請求項２４】
請求項１９記載の方法であって、更に、前記窒化シリコン・メンブレンの中にあるナノポアを介して、前記単体ＤＮＡ分子を転座させるステップを備えている、方法。
【手続補正書】
【提出日】平成25年3月1日(2013.3.1)
【手続補正１】
【補正対象書類名】特許請求の範囲
【補正対象項目名】全文
【補正方法】変更
【補正の内容】
【特許請求の範囲】
【請求項１】
同じモデルの電気化学式バイオセンサーのそれぞれが、何本かの調節用指状部を備える電気的パターンを持ち、それらの調節用指状部がキャピラリーチャンバー内に延伸し、かつ個別に電気的パターンから絶縁されるか電気的パターンに接続されることで電気的パターンの有効面積を調節できる構成の複数のバイオセンサーを製造する方法であって、この方法が、
（a）第1と第2のバイオセンサーを製造するステップと；
（b）第1のバイオセンサーの投与量-応答曲線を決定するステップと；
（c）第2のバイオセンサーの電気的パターンの有効面積を、第1のバイオセンサーの投与量-応答曲線の関数として選択するステップと；
（d）第2のバイオセンサーの前記何本かの調節用指状部のうちの少なくとも1本を接続または分離して前記選択された有効面積を実現し、第2のバイオセンサーの投与量-応答曲線を望む所定の範囲内に入れるステップを含む方法。
【請求項２】
ステップ（d）が、第2のバイオセンサーにおいて前記何本かの調節用指状部のうちの前記少なくとも1本を絶縁する操作を含む、請求項1に記載の方法。
【請求項３】
前記少なくとも1本の絶縁された調節用指状部が、前記作用電極の一区画を含んでいる、請求項２に記載の方法。
【請求項４】
電気的パターンを第2のバイオセンサーの表面に形成する前にステップ（b）を実施する、請求項1に記載の方法。
【請求項５】
基板の表面に第2のバイオセンサーの電気的パターンを設けるステップと；
少なくとも1つのカバー層またはスペーシング層を基板の上に貼り合わせることにより、その第2のバイオセンサーの表面にカバーとサンプル収容室を形成するステップをさらに含む、請求項1に記載の方法。
【請求項６】
ステップ（d）が、第2のバイオセンサーの電気的パターンの前記何本かの調節用指状部のうちの少なくとも1本を分離するため、前記少なくとも1つのカバー層またはスペーシング層に侵入する操作を含む、請求項５に記載の方法。
【請求項７】
レーザーを用いて前記分離を実行する、請求項６に記載の方法。
【請求項８】
同じモデルの複数の電気化学式バイオセンサーを製造する方法であって、
（a）第1の有効面積を持つ第1の電気的パターンを有する第1のバイオセンサーを製造するステップと；
（b）第1のバイオセンサーの投与量-応答曲線を決定するステップと；
（c）第1のバイオセンサーについて決定された投与量-応答曲線を用い、第2のバイオセンサーの第2の電気的パターンについて、第1の有効面積とは異なる第2の有効面積を決定するステップと；
（d）第2のバイオセンサーを形成し、その第2のバイオセンサー上に第2の電気的パターンを最初に形成している間に第2の有効面積を得て、その第2のバイオセンサーに望む所定の範囲内の投与量-応答曲線を持たせることで、最初の形成後に第2の電気的パターンを変える必要をなくすステップを含む方法。
【請求項９】
ステップ（a）が、第1のバイオセンサーの第1の作用電極を第1の幅で形成する操作を含み、ステップ（d）が、第2のバイオセンサーの第2の作用電極を第1の幅とは異なる第2の幅で形成する操作を含む、請求項８に記載の方法。
【請求項１０】
ステップ（a）が、第1の作用電極と第1の補助電極を、両者の間にギャップを挟んで形成する操作を含み、ステップ（d）が、第2のバイオセンサーでギャップを同じサイズに維持する操作を含む、請求項９に記載の方法。
【請求項１１】
ステップ（a）が、第1の作用電極と第1の補助電極を、両者の間に第1のギャップを挟んで形成する操作を含み、ステップ（d）が、第2の作用電極と第2の補助電極を、両者の間に第1のギャップとは異なる第2のギャップを挟んで形成する操作を含む、請求項９に記載の方法。
【請求項１２】
請求項８に記載の方法において、
第1のバイオセンサーが複数の第1のバイオセンサーを含み；
ステップ（b）で決定される投与量-応答曲線が、複数の第1のバイオセンサーの平均投与量-応答曲線を含み；
第2のバイオセンサーが複数の第2のバイオセンサーを含む方法。
【請求項１３】
前記複数の第2のバイオセンサーの平均投与量-応答曲線を決定するステップと；
複数の第3のバイオセンサーの第3の電気的パターンに関して第2の有効面積とは異なる第3の有効面積を決定するステップと；
第3の有効面積を持つ第3の電気的パターンを有する前記複数の第3のバイオセンサーを形成することで、第3のバイオセンサーが、望む所定の範囲内の投与量-応答曲線を持つようにするステップをさらに含む、請求項１２に記載の方法。
【請求項１４】
第1の有効面積と第3の有効面積が同じである、請求項１３に記載の方法。
【手続補正書】
【提出日】平成25年3月21日(2013.3.21)
【手続補正１】
【補正対象書類名】特許請求の範囲
【補正対象項目名】全文
【補正方法】変更
【補正の内容】
【特許請求の範囲】
【請求項１】
雰囲気中の検体をモニタリングする方法であって、
ａ）少なくとも１つの検出要素を、検体を潜在的に含む雰囲気に所定時間暴露することと、
ｂ）第１の波長範囲の光を前記少なくとも１つの検出要素の上に方向付け、前記少なくとも１つの検出要素から反射される前記第１の波長範囲の光の量を表す第１の信号を得ることと、
ｃ）第２の波長範囲の光を前記少なくとも１つの検出要素の上に方向付け、前記少なくとも１つの検出要素から反射される前記第２の波長範囲の光の量を表す第２の信号を得ることと、
ｄ）前記第１の信号と第２の信号とを比較して比較信号を提供することと、
ｅ）前記比較信号を所定の反応曲線に関連付け、それによって、前記モニターする雰囲気内の前記検体の前記濃度に関連する濃度値を得ることと、を含む、方法。
【請求項２】
前記比較信号が、前記第１の信号及び第２の信号の一方を、前記第１の信号及び第２の信号の他方で割ることによって得られる比率化された信号である、請求項１に記載の方法。
【請求項３】
雰囲気中の検体をモニタリングするための光電子デバイスであって、
内部空間を少なくとも部分的に画定し、かつ開口部を含むハウジングと、
前記ハウジングの前記開口部の中に固定される少なくとも１つの検出要素と、
前記内部空間の中にある、光を前記検出要素に向けるように配置された少なくとも１つの光源と、前記検出要素に反射した光の量を測定するように配置された少なくとも１つの光検出器と、を含み、
前記検出要素が前記ハウジングの前記開口部の中に固定されると、前記デバイスの前記内部空間が封止された内部空間を構成するように、前記開口部が閉塞される、デバイス。
【手続補正書】
【提出日】平成25年3月21日(2013.3.21)
【手続補正１】
【補正対象書類名】特許請求の範囲
【補正対象項目名】全文
【補正方法】変更
【補正の内容】
【特許請求の範囲】
【請求項１】
チモシンβ４を含有する、神経学的ダメージを特徴とする神経学的疾患を治療するための医薬組成物。
【請求項２】
前記神経学的疾患は、脳卒中、脱髄疾患、神経損傷、多発性硬化症、および神経変性疾患からなる群から選択される、請求項１に記載の医薬組成物。
【請求項３】
前記神経学的疾患は、脳卒中および多発性硬化症からなる群より選択される、請求項２に記載の医薬組成物。
【請求項４】
前記神経学的疾患は、脳卒中である、請求項３に記載の医薬組成物。
【請求項５】
前記神経学的疾患は、多発性硬化症である、請求項３に記載の医薬組成物。
【請求項６】
前記神経損傷は、外傷性脳損傷である、請求項２に記載の医薬組成物。
【請求項７】
前記神経変性疾患は、アルコール依存症、アレキサンダー病、アルパース病、アルツハイマー病、筋萎縮性側索硬化症、毛細血管拡張性運動失調症、バッテン病、ウシ海綿状脳症、カナバン病、コケーン症候群、大脳皮質基底核変性症、クロイツフェルト・ヤコブ病、前頭側頭葉変性症、ハンチントン舞踏病、ＨＩＶ関連認知症、ケネディ病、クラッベ病、レビー小体型認知症、神経ボレリア症、マシャド・ジョセフ病、ナルコレプシー、ニーマン・ピック病、パーキンソン病、ペリツェウス・メルツバッヘル病、ピック病、原発性側索硬化症、プリオン病、進行性核上麻痺、レフサム病、サンドホフ病、シルダー病、脊髄の亜急性連合変性症、脊髄小脳失調症、脊髄性筋萎縮症、スティール・リチャードソン・オルゼウスキー症候群、および脊髄癆からなる群より選択される、請求項２に記載の医薬組成物。
【請求項８】
前記チモシンβ４は、軸索の有髄化、神経前駆細胞の移動、神経前駆細胞の増殖、神経前駆細胞の成熟神経細胞への分化、神経前駆細胞の成熟グリアへの分化、神経再生、および脳損傷の部位での脳リモデリング、からなる群より選択される神経学的パラメータを改善する、請求項１に記載の医薬組成物。
【請求項９】
対象の神経学的転帰が改善される、請求項１に記載の医薬組成物。
【請求項１０】
脳卒中が発生した直後にチモシンβ４が投与される、請求項４に記載の医薬組成物。
【請求項１１】
脳卒中が発生してから約２４時間以内にチモシンβ４が投与される、請求項４に記載の医薬組成物。
【請求項１２】
脳卒中が発生してから２４時間後以降にチモシンβ４が投与される、請求項４に記載の医薬組成物。
【請求項１３】
外傷性脳損傷が発生した直後にチモシンβ４が投与される、請求項６に記載の医薬組成物。
【請求項１４】
外傷性脳損傷が発生してから約２４時間以内にチモシンβ４が投与される、請求項６に記載の医薬組成物。
【請求項１５】
外傷性脳損傷が発生してから２４時間後以降にチモシンβ４が投与される、請求項６に記載の医薬組成物。
【手続補正書】
【提出日】平成25年3月19日(2013.3.19)
【手続補正１】
【補正対象書類名】特許請求の範囲
【補正対象項目名】全文
【補正方法】変更
【補正の内容】
【特許請求の範囲】
【請求項１】
抗体調製物からの濃縮により得られ得る抗体集団であって、ここで濃縮された抗体集団は、濃縮前の抗体調製物と比較して、抗体のＦａｂ領域において変更された量のシアル酸付加を有し、そしてここでＦａｂ領域における変更されたシアル酸付加に基づく濃縮の結果、濃縮前の抗体調製物と比較した場合に、濃縮された集団の免疫調節特性が変更されている抗体の集団が生じている、上記抗体集団。
【請求項２】
集団が、抗体調製物をセイヨウニワトコ凝集素カラム又はその等価物上のアフィニティークロマトグラフィーにかけること、並びに（ａ）非結合集団（−ＳＡフラクション）を集めること、及び／又は（ｂ）結合集団を酸性ラクトースを用いて溶離すること（＋ＳＡフラクション）により生産され、それにより、−ＳＡフラクションがＦａｂ領域において減少した量のシアル酸付加を有し、＋ＳＡフラクションがＦａｂ領域において増加した量のシアル酸付加を有し、そしてそれにより、Ｆａｂ領域において変更された量のシアル酸付加を有するフラクションが、変更された免疫調節特性を有する、請求項１に記載の抗体集団。
【請求項３】
濃縮された抗体集団が、濃縮前の抗体調製物と比較して抗体のＦａｂ領域において変更された量のシアル酸付加を有し、ここでＦｃ部分におけるシアル酸付加の量が、１００％未満、好ましくは５０％未満、より好ましくは３０％未満、さらにより好ましくは２０％未満だけ濃縮されている、請求項１又は請求項２に記載の抗体集団。
【請求項４】
濃縮された抗体集団が、濃縮前の抗体調製物と比較して抗体のＦａｂ領域において変更された量のシアル酸付加を有し、ここでＦａｂ部分におけるシアル酸付加の量は、濃縮前の抗体調製物中のＦａｂ領域におけるシアル酸付加の量と比較して、１．２５倍より多く、好ましくは１．５倍より多く、より好ましくは２倍より多く、なおより好ましくは３倍より多く、最も好ましくは４倍より多く変更されている、請求項１〜３のいずれか１項に記載の抗体集団。
【請求項５】
抗体調製物から抗体の集団を濃縮する方法であって、ここで濃縮された抗体集団は濃縮前の抗体調製物と比較して抗体のＦａｂ領域において変更された量のシアル酸付加を有し、該方法は：
（ａ）  抗体調製物を、抗体のシアル酸付加したＦａｂ領域に対する親和性を備えたアフィニティークロマトグラフィーにかける工程；
（ｂ−ｉ）  工程（ａ）において結合していない抗体集団を収集する工程［ここで該抗体集団は、濃縮前の抗体調製物と比較して抗体のＦａｂ領域においてより少ない量のシアル酸を有する（−ＳＡフラクション）］；及び／又は
（ｂ−ii）  工程（ａ）において結合した抗体集団を溶離して収集する工程［ここで該抗体集団（＋ＳＡフラクション）は、濃縮前の抗体調製物と比較して抗体のＦａｂ領域においてより多い量のシアル酸を有する］、
を含み、
ここでＦａｂ領域におけるシアル酸付加の変更された量に基づく濃縮の結果、濃縮前の抗体調製物と比較した場合に、変更された免疫調節特性を有する抗体の集団が生じている、上記方法。
【請求項６】
工程（ａ）におけるアフィニティークロマトグラフィーが、セイヨウニワトコ凝集素を用いる、請求項５に記載の方法。
【請求項７】
−ＳＡフラクション又は＋ＳＡフラクションのＦｃ部分におけるシアル酸付加が、抗体調製物におけるＦｃシアル酸付加と１００％未満だけ異なる、請求項５又は請求項６に記載の方法。
【請求項８】
抗体調製物が血漿免疫グロブリンＧ調製物であり、好ましくは血漿免疫グロブリン調製物は静注用免疫グロブリンＧ（ＩＶＩＧ）又は皮下注用免疫グロブリンＧ（ＳＣＩＧ）である、請求項１〜４のいずれか１項に記載の抗体集団。
【請求項９】
抗体のＦａｂ領域のシアル酸付加の量がさらに変更される、請求項１〜４若しくは請求項８のいずれか１項に記載の抗体集団。
【請求項１０】
シアル酸付加の量の変更が酵素的に達成される、請求項９に記載の抗体集団。
【請求項１１】
シアル酸付加の変化した量が、Ｆａｂ領域におけるシアル酸付加の量の減少である、請求項１〜４若しくは８〜１０のいずれか１項に記載の抗体集団。
【請求項１２】
シアル酸付加の変化した量が、Ｆａｂ領域におけるシアル酸付加の量の増加である、請求項１〜４若しくは８〜１０のいずれか１項に記載の抗体集団。
【請求項１３】
請求項１〜４又は８〜１２のいずれか１項に記載の抗体集団を活性成分として含む薬剤。
【請求項１４】
請求項１〜４又は８〜１２のいずれか１項に記載の抗体集団を含み、場合により薬学的に許容しうる担体、賦形剤及び／又は希釈剤をさらに含む、医薬組成物。
【請求項１５】
アテローム性動脈硬化症、がん及び細菌感染症、ウイルス感染症又は真菌感染症のような感染症の予防及び／又は処置のための、請求項１〜４又は８〜１２のいずれか１項に記載の抗体集団を活性成分として含む薬剤。
【請求項１６】
炎症状態の予防又は処置のための、請求項１２に記載の抗体集団を活性成分として含む薬剤。
【請求項１７】
炎症状態が自己免疫疾患又は神経変性疾患である、請求項１６に記載の抗体集団。
【請求項１８】
自己免疫疾患又は神経変性疾患が、関節リウマチ、全身性エリテマトーデス（ＳＬＥ）、抗リン脂質抗体症候群、免疫性血小板減少症（ＩＴＰ）、川崎病、ギラン・バレー症候群（ＧＢＳ）、多発性硬化症（ＭＳ）、慢性炎症性脱髄性多発ニューロパシー（ＣＩＤＰ）、皮膚水疱疾患、皮膚筋炎、多発性筋炎、アルツハイマー病、パーキンソン病、ダウン症候群に関連するアルツハイマー病、脳アミロイド血管症、レビー小体型認知症、前頭側頭葉変性症及び血管性認知症から選択される、請求項１７に記載の薬剤。
【手続補正書】
【提出日】平成25年3月13日(2013.3.13)
【手続補正１】
【補正対象書類名】特許請求の範囲
【補正対象項目名】全文
【補正方法】変更
【補正の内容】
【特許請求の範囲】
【請求項１】
次の式（Ｉ）の化合物の製造方法であって、
Ｙ−（Ｃ1-8アルキル）−18Ｆ          （Ｉ）
（式中、Ｙは生物学的ターゲティング部分である。）
適当な溶媒中において塩基及び遷移金属触媒の存在下で、次の式（ＩＩ）の化合物を次の式（ＩＩＩ）の化合物と反応させることを含んでなる方法。
Ｙ−Ｂ（Ｚ）2                          （ＩＩ）
（式中、Ｙは式（Ｉ）の化合物に関して定義した通りであり、Ｂはホウ素であり、Ｚはヒドロキシ、Ｃ1-6アルコキシ、Ｃ1-6アルキル、Ｃ5-12アリールオキシ及びＣ5-12アリールから選択されるものであって、各Ｚは任意にはヒドロキシ、Ｃ1-6アルキル、Ｃ1-6アルコキシ及びハロから選択される１〜４の置換基で置換されていてもよく、或いは２つのＺはそれらに結合したＢと共に有機ホウ素環状部分を形成する。）
Ｘ−（Ｃ1-8アルキル）−18Ｆ          （ＩＩＩ）
（式中、Ｘはクロロ、ブロモ、ヨード、Ｃ1-6アルキルスルホネート、ハロＣ1-6アルキルスルホネート又はアリールスルホネートであり、Ｃ1-8アルキル基は式（Ｉ）の化合物に関して定義した通りである。）
【請求項２】
式（ＩＩ）の化合物において、Ｚがヒドロキシ、メトキシ、エトキシ、メチル及びエチレンから選択されるものであるか、或いは−Ｂ（Ｚ）2基が９−ボラビシクロ［３．３．１］ノニル及び次式の基のいずれかである、請求項１記載の方法。
【化１】
2012522051.tif 000001
（式中、アリール環は任意にはヒドロキシ、Ｃ1-6アルキル、Ｃ1-6アルコキシ及びハロから選択される１〜４の置換基で置換されていてもよい。）
【請求項３】
式（ＩＩＩ）の化合物において、Ｘがブロモ又はヨードである、請求項１又は請求項２記載の方法。
【請求項４】
式（ＩＩＩ）の化合物が18Ｆ−ＣＨ2Ｂｒ、18Ｆ−ＣＨ2ＣＨ2Ｂｒ及び18Ｆ−ＣＨ2ＣＨ2ＣＨ2Ｂｒから選択される、請求項１乃至請求項３のいずれか１項記載の方法。
【請求項５】
請求項１に記載されたＰＥＴ用の式（Ｉ）の化合物を製造するための放射性医薬品キットであって、
（ｉ）請求項１又は請求項２に記載された式（ＩＩ）の化合物を含む容器、並びに
（ii）次の式（ＩＶ）の化合物及び前記式（ＩＶ）の化合物を18Ｆ供給源と接触させる手段を含む容器
を含んでなる放射性医薬品キット。
Ｘ−（Ｃ1-8アルキル）−Ｌ            （ＩＶ）
（式中、Ｘはクロロ、ブロモ、ヨード、Ｃ1-6アルキルスルホネート、ハロＣ1-6アルキルスルホネート又はアリールスルホネートであり、Ｃ1-8アルキル基は式（Ｉ）の化合物に関して定義した通りであり、Ｌはクロロ、ブロモ、ヨード、Ｃ1-6アルキルスルホネート、ハロＣ1-6アルキルスルホネート及びアリールスルホネートから選択される脱離基である。）
【請求項６】
式（ＩＩＩ）の化合物において、Ｘがブロモである、請求項１又は請求項２記載の方法。
【請求項７】
前記溶媒が、Ｎ，Ｎ−ジメチルホルムアミド、ジメチルスルホキシド、ジクロロメタン、クロロホルム、アセトニトリル、トルエン、テトラヒドロフラン、イソプロパノール、ｔｅｒｔ−アミルアルコール、ジエチルエーテル又はテトラヒドロフランである、請求項１又は請求項２記載の方法。
【請求項８】
前記遷移金属触媒がパラジウム又はニッケル触媒である、請求項１又は請求項２記載の方法。
【請求項９】
前記遷移金属触媒がニッケル触媒である、請求項１又は請求項２記載の方法。
【請求項１０】
前記ニッケル触媒がニッケル／アミノアルコール誘導体、ＮｉＩ2／トランス−２−アミノシクロヘキサノール又はＮｉＣｌ2・グライム／プロリノール、或いは微粉又はニッケル反応器の形態のニッケル金属である、請求項９記載の方法。
【請求項１１】
前記遷移金属触媒がパラジウム触媒である、請求項１又は請求項２記載の方法。
【請求項１２】
前記パラジウム触媒がＰｄ（ＰＰＨ3）2Ｃｌ2、Ｐｄ（ＰＰＨ3）4、トリス（ジベンジリデンアセトン）ジパラジウム（Ｐｄ2（ｄｂａ）3）、Ｐｄ2（ｄｂａ）3／Ｐ（シクロヘキシル）3、Ｐｄ2（ｄｂａ）3／ＩＰｒＨＣｌ（式中、ＩＰｒ＝１，３−ビス（２，６−ジイソプロピルフェニル）イミダゾール−２−イリデン）、［１，１’−ビス（ジフェニルホスフィノ）フェロセン］ジクロロパラジウム（ＩＩ）（Ｐｄ（ｄｐｐｆ）Ｃｌ2）、Ｐｄ（ＯＡｃ）2／Ｐ（ｔ−Ｂｕ）2Ｍｅ又はＰｄ（ＯＡｃ）2／Ｐ（シクロヘキシル）3である、請求項１１記載の方法。
【手続補正書】
【提出日】平成25年3月22日(2013.3.22)
【手続補正１】
【補正対象書類名】特許請求の範囲
【補正対象項目名】全文
【補正方法】変更
【補正の内容】
【特許請求の範囲】
【請求項１】
二価金属カチオン塩を含む吸入に適する乾燥粒子を含む吸入に適する乾燥粉末であって、前記二価金属カチオン塩は、前記乾燥粒子の約５重量％以上の量の二価金属カチオンを提供し、前記吸入に適する乾燥粒子は、レーザー回折（ＲＯＤＯＳ／ＨＥＬＯＳシステム）で測定して、約１０ミクロン以下または約５．０ミクロン以下の幾何学的体積中位径（ＶＭＧＤ）および約２未満または約１．５未満の分散性比率（１／４バール）を有する、吸入に適する乾燥粉末。
【請求項２】
前記吸入に適する乾燥粉末は、前記粒子の約６重量％以上の量の一価カチオンを提供する一価塩をさらに含む、請求項１に記載の吸入に適する乾燥粉末。
【請求項３】
前記吸入に適する乾燥粉末は、少なくとも４５％の５．６ミクロン未満の細粒分（ＦＰＦ）、少なくとも３０％の３．４ミクロン未満の細粒分（ＦＰＦ）または少なくとも４５％の５．０ミクロン未満の細粒分（ＦＰＦ）を有する、請求項１または２に記載の吸入に適する乾燥粉末。
【請求項４】
前記吸入に適する乾燥粉末は、約５ミクロン以下の空気力学的質量中位径（ＭＭＡＤ）を有する、請求項１〜３のいずれか１項に記載の吸入に適する乾燥粉末。
【請求項５】
前記二価金属カチオン塩は、水中で０．５ｇ／Ｌ以上の溶解度を有する、請求項１〜４のいずれか１項に記載の吸入に適する乾燥粉末。
【請求項６】
前記吸入に適する乾燥粒子は、リン酸カルシウムを含有しない、請求項１〜５のいずれか１項に記載の吸入に適する乾燥粉末。
【請求項７】
二価金属カチオンの前記二価金属カチオン塩に対する分子量比は、約０．１より大きい、請求項１〜６のいずれか１項に記載の吸入に適する乾燥粉末。
【請求項８】
前記吸入に適する乾燥粉末は、少なくとも１つの薬学的に許容される賦形剤をさらに含む、請求項１〜７のいずれか１項に記載の吸入に適する乾燥粉末。
【請求項９】
前記少なくとも１つの賦形剤は、約５０重量％以下の量で存在し、かつロイシン、マルトデキストリンまたはマンニトールを含む、請求項８に記載の吸入に適する乾燥粉末。
【請求項１０】
前記二価金属カチオン塩は、マグネシウム塩、バリウム塩およびカルシウム塩から成る群から選択される、請求項１〜９のいずれか１項に記載の吸入に適する乾燥粉末。
【請求項１１】
前記カルシウム塩は、硫酸カルシウム、クエン酸カルシウム、塩化カルシウム、酢酸カルシウム、グルコン酸カルシウム、乳酸カルシウムまたはそれらの任意の組み合わせである、請求項１０に記載の吸入に適する乾燥粉末。
【請求項１２】
前記一価塩は、リチウム塩、カリウム塩またはナトリウム塩である、請求項１〜１１のいずれか１項に記載の吸入に適する乾燥粉末。
【請求項１３】
前記ナトリウム塩は、塩化ナトリウム、クエン酸ナトリウム、乳酸ナトリウム、または硫酸ナトリウムである、請求項１２に記載の吸入に適する乾燥粉末。
【請求項１４】
二価金属カチオン塩および一価塩を含む吸入に適する乾燥粒子を含む吸入に適する乾燥粉末であって、前記吸入に適する乾燥粒子は、非晶質二価金属カチオン相および結晶性一価塩相を含む、吸入に適する乾燥粉末。
【請求項１５】
前記非晶相のガラス転移温度は、少なくとも約１２０℃である、請求項１４に記載の吸入に適する乾燥粉末。
【請求項１６】
前記非晶相は、賦形剤をさらに含む、請求項１４または１５に記載の吸入に適する乾燥粉末。
【請求項１７】
前記吸入に適する乾燥粉末は、０．５〜約５ミクロンのＶＭＧＤを有する、請求項１４〜１６のいずれか１項に記載の吸入に適する乾燥粉末。
【請求項１８】
前記二価金属カチオン塩は、カルシウム塩である、請求項１７に記載の吸入に適する乾燥粉末。
【請求項１９】
前記一価塩は、ナトリウム塩である、請求項１４〜１８のいずれか１項に記載の吸入に適する乾燥粉末。
【請求項２０】
前記ナトリウム塩は、塩化ナトリウムである、請求項１９に記載の吸入に適する乾燥粉末。
【請求項２１】
二価金属塩を含む吸入に適する乾燥粒子を含む吸入に適する乾燥粉末であって、前記二価金属塩は、前記乾燥粒子の約５重量％以上の量のカチオンを提供し、前記吸入に適する乾燥粉末は、１．５より大きいハウスナー比および２以下の１／４バールまたは０．５／４バールを有する、吸入に適する乾燥粉末。
【請求項２２】
クエン酸カルシウムまたは硫酸カルシウムを含有する吸入に適する乾燥粒子を含む吸入に適する乾燥粉末であって、前記吸入に適する乾燥粒子は、
ａ）塩化カルシウムの水溶液を含む第１の液体供給原料と、硫酸ナトリウムまたはクエン酸ナトリウムの水溶液を含む第２の液体供給原料とを提供することと、
ｂ）前記第１の液体供給原料および前記第２の液体供給原料を混合して、アニオン交換反応が起こる混合物を産生し、硫酸カルシウムおよび塩化ナトリウム、またはクエン酸カルシウムおよび塩化ナトリウムを含む飽和もしくは過飽和溶液を産生することと、
ｃ）ｂ）で産生された前記飽和もしくは過飽和溶液を噴霧乾燥して、吸入に適する乾燥粒子を産生することと、
を含む過程で産生される、吸入に適する乾燥粉末。
【請求項２３】
ｂ）において、前記第１の液体供給原料および前記第２の液体供給原料は、バッチ混合されるかまたは静的混合される、請求項２２に記載の吸入に適する乾燥粉末。
【請求項２４】
静的混合後、得られた混合物は、５分以内に霧化される、請求項２３に記載の吸入に適する乾燥粉末。
【請求項２５】
呼吸器疾患を治療するための、請求項１〜２４のいずれか１項に記載の吸入に適する乾燥粉末を含有する医薬組成物。
【請求項２６】
呼吸器疾患の急性増悪を治療するための、請求項１〜２４のいずれか１項に記載の吸入に適する乾燥粉末を含有する医薬組成物。
【請求項２７】
気道の感染性疾患を治療または予防するための、請求項１〜２４のいずれか１項に記載の吸入に適する乾燥粉末を含有する医薬組成物。
【手続補正書】
【提出日】平成25年3月26日(2013.3.26)
【手続補正１】
【補正対象書類名】特許請求の範囲
【補正対象項目名】全文
【補正方法】変更
【補正の内容】
【特許請求の範囲】
【請求項１】
過剰なリン酸による腎障害を有さない被験者に約2 Lの水溶液とともに約48 gのリン酸ナトリウムを投与するための、リン酸ナトリウム含有消化管洗浄剤。
【請求項２】
18〜70歳の被験者における大腸内視鏡検査のための前処置として使用する、請求項１に記載の消化管洗浄剤。
【請求項３】
請求項１に記載の消化管洗浄剤を被験者に投与可能かどうかを決定する方法であって、被験者の腎臓由来のサンプルにおけるリン酸レベルを測定することを含み、正常なリン酸レベルが該消化管洗浄剤を被験者に投与可能であることを示す、上記方法。
【請求項４】
請求項１に記載の消化管洗浄剤を被験者に投与可能かどうかを決定する方法であって、被験者が30 mL/分以上のクレアチニンクリアランスを特徴とする正常な腎機能を有するかどうかを決定することを含み、正常な腎機能が該消化管洗浄剤を被験者に投与可能であることを示す、上記方法。
【請求項５】
請求項１に記載の消化管洗浄剤を被験者に投与可能かどうかを決定する方法であって、被験者の腎臓のリン酸レベルを決定することを含む、上記方法。
【手続補正書】
【提出日】平成25年3月18日(2013.3.18)
【手続補正１】
【補正対象書類名】特許請求の範囲
【補正対象項目名】全文
【補正方法】変更
【補正の内容】
【特許請求の範囲】
【請求項１】
哺乳動物においてヘスペレチン（（Ｓ／Ｒ）−２，３−ジヒドロ−５，７−ジヒドロキシ−２−（３−ヒドロキシ−４−メトキシフェニル）−４Ｈ−１−ベンゾピラン−４−オン）の生体利用率を増大させる製品を調製するための、少なくとも１種のフラボノイド化合物、但し前記フラボノイド化合物はヘスペレチンではない、を含む組成物の使用。
【請求項２】
フラボノイド化合物が、次の一般式を有する化合物
【化１】
2012522030.tif 000001
（式中、炭素３、５、６、７、８、２’、３’、４’、５’及び／又は６’は、Ｈ、ＯＨ又はＯＣＨ３基で、互いに等しく又は異なるように置換されている）の群から選択され、但し前記化合物はヘスペレチンではない、請求項１に記載の使用。
【請求項３】
少なくとも１種のフラボノイド化合物が、ケルセチン、フィセチン、クリシン、アカセチン、アピゲニン、ルテオリン、タンゲリチン、バイカレイン、スクテラレイン、オウゴニン、ジオスミン、及びフラボキサート、ケンフェロール、ミリセチン、フィセチン、イソラムネチン、パキポドール、ラムナジン、ヘスペリジン、ルチン、ガランギン、ケンフェリド、ゲニステイン、ダイゼイン、ビオカニンＡ、カテキン、エピカテキン、ＥＧＣＧ、フロレチン、並びにこれらの組合せからなる群から選択される、請求項１又は２に記載の使用。
【請求項４】
前記化合物が、食用フラボノイドの群から選択される、請求項１〜３のいずれか一項に記載の使用。
【請求項５】
少なくとも１種のフラボノイド化合物が、１日用量あたり０．０１ｍｇ〜１００００ｍｇの量で前記製品中に存在する、請求項１〜４のいずれか一項に記載の使用。
【請求項６】
ヘスペレチンの健康特性を向上させるための、請求項１〜５のいずれか一項に記載の使用。
【請求項７】
前記組成物が、１日用量あたり０．１ｍｇ〜１００００ｍｇの量でヘスペレチンをさらに含む、請求項１〜６のいずれか一項に記載の使用。
【請求項８】
請求項１〜７のいずれか一項に記載の組成物を含有する、抗酸化剤。
【請求項９】
請求項１〜７のいずれか一項に記載の組成物を含有する、炎症の治療・予防薬。
【請求項１０】
請求項１〜７のいずれか一項に記載の組成物を含有する、静脈瘤、痔核、又は静脈性潰瘍の治療・予防薬。
【請求項１１】
請求項１〜７のいずれか一項に記載の組成物を含有する、高コレステロール血症の治療・予防薬。
【請求項１２】
請求項１〜７のいずれか一項に記載の組成物を含有する、抗ウイルス剤。
【請求項１３】
請求項１〜７のいずれか一項に記載の組成物を含有する、抗癌剤。
【請求項１４】
少なくとも１種のフラボノイド化合物、但し前記フラボノイド化合物はヘスペレチンではない、及びヘスペレチンを含み、少なくとも１種のフラボノイド化合物及びヘスペレチンが、１日用量あたり１０ｎｇ〜１００００ｍｇの量で各々存在する、組成物。
【手続補正書】
【提出日】平成25年3月25日(2013.3.25)
【手続補正１】
【補正対象書類名】明細書
【補正対象項目名】００１０
【補正方法】変更
【補正の内容】
【００１０】
本発明は、少なくとも１つのポリマー系を含む接着剤に関し、このポリマー系は、少なくとも１つのポリマーブレンド出発物質の溶融粘度を低下させるプロセスによって得られ、このプロセスは、少なくとも１つのポリマーブレンド出発物質を、少なくとも１つのラジカル供与体で、前記ポリマーブレンド出発物質の軟化点を超える温度で、剪断応力下で、処理する工程を含み、前記ポリマーブレンド出発物質は、：
ａ）エラストマーゴム、またはエチレン−プロピレンゴムおよびエチレン−プロピレン−ジエンモノマーターポリマーゴムからなる群より選択されるエラストマーゴムのブレンド、および
ｂ）半結晶性オレフィンポリマーまたは半結晶性オレフィンポリマーのブレンド
を含む。
【手続補正２】
【補正対象書類名】明細書
【補正対象項目名】００１２
【補正方法】変更
【補正の内容】
【００１２】
本発明は、少なくとも１つのポリマー系を含む接着剤を提供する。このポリマー系は、少なくとも１つのポリマーブレンド出発物質の溶融粘度を低下させるプロセスによって得られ、このプロセスは少なくとも１つのポリマーブレンド出発物質を少なくとも１つのラジカル供与体で、前記ポリマーブレンド出発物質の軟化点を超える温度で、剪断応力下で、処理する工程を含み、前記ポリマーブレンド出発物質は、：
ａ）エラストマーゴム、またはエチレン−プロピレンゴムおよびエチレン−プロピレン−ジエンモノマーターポリマーゴムからなる群より選択されるエラストマーゴムのブレンド、および
ｂ）半結晶性オレフィンポリマーまたは半結晶性オレフィンポリマーのブレンド
からなる。
【手続補正３】
【補正対象書類名】特許請求の範囲
【補正対象項目名】全文
【補正方法】変更
【補正の内容】
【特許請求の範囲】
【請求項１】
少なくとも１つのポリマー系を含む接着剤であって、該ポリマー系は、少なくとも１つのポリマーブレンド出発物質の溶融粘度を低下させるプロセスによって得られ、該プロセスは、少なくとも１つのポリマーブレンド出発物質を、少なくとも１つのラジカル供与体で、該ポリマーブレンド出発物質の軟化点を超える温度で、剪断応力下で、処理する工程を含み、該ポリマーブレンド出発物質は、：
ａ）エラストマーゴム、またはエチレン−プロピレンゴムおよびエチレン−プロピレン−ジエンモノマーターポリマーゴムからなる群より選択されるエラストマーゴムのブレンド、および
ｂ）半結晶性オレフィンポリマーまたは半結晶性オレフィンポリマーのブレンド
からなる、接着剤。
【請求項２】
少なくとも１つのポリマーブレンド出発物質の溶融粘度を、得られたポリマー系の(２００℃における)溶融粘度がポリマーブレンド出発物質の (２００℃における)初期溶融粘度の５０％未満となるまで低下させる、請求項１に記載のポリマー系。
【請求項３】
ラジカル供与体が、アゾ化合物、ジアゾ化合物および／または過酸化物から選択される、請求項１または２に記載のポリマー系。
【請求項４】
ポリマーブレンド出発物質が、２００℃で、少なくとも３００,０００ｍＰａｓの初期溶融粘度を有する、請求項１〜３のいずれかに記載のポリマー系。
【請求項５】
ポリマー系が、２００℃で、３,０００〜１,０００,０００ｍＰａｓの溶融粘度を有する、請求項１〜４のいずれかに記載のポリマー系。
【請求項６】
ポリマー系が、ゲル浸透クロマトグラフィで測定して、１.５〜５.０の分子量分布Ｍｗ／Ｍｎを有する、請求項１〜５のいずれかに記載のポリマー系。
【請求項７】
ポリマー系が、ＥＮ ＩＳＯ ５２７-３に従い測定して、少なくとも５０％の破断点伸びを有する、請求項１〜６のいずれかに記載のポリマー系。
【請求項８】
ポリマー系が、ＥＮ ＩＳＯ ５２７-３に従い測定して、少なくとも２.５ＭＰａの破断点引張り強さを有する、請求項１〜７のいずれかに記載のポリマー系。
【請求項９】
ポリマー系が、ＤＳＣで測定して、５〜−６５℃のガラス転移温度を有する、請求項１〜８のいずれかに記載のポリマー系。
【請求項１０】
ポリマー系が、ＤＳＣで測定して、３０〜９０Ｊ／ｇの融解熱を有する、請求項１〜９のいずれかに記載のポリマー系。
【請求項１１】
ポリマー系が、ＤＳＣで測定して、１２５℃〜１６５℃の間に含まれるピーク融点（Ｔｍ）を有する、請求項１〜１０のいずれかに記載のポリマー系。
【請求項１２】
エラストマーゴムが、少なくとも４０重量％のエチレンを含有するエチレンおよびプロピレンのコポリマーを含む、請求項１〜１１のいずれかに記載のポリマー系。
【請求項１３】
エラストマーゴムが、１５〜５０重量％のプロピレンを含有するエチレンおよびプロピレンのコポリマーを含む、請求項１〜１２のいずれかに記載のポリマー系。
【請求項１４】
エラストマーゴムが、カルボン酸基、無水物基、ヒドロキシル基、エーテル基、第一級アミン基、第二級アミン基、第三級アミン基およびエステル基から選択される官能性モノマーで変性させたエチレンおよびプロピレンのコポリマーを含む、請求項１〜１３のいずれかに記載のポリマー系。
【請求項１５】
エラストマーゴムが、４０〜８０重量％のエチレン、１５〜５０重量％のプロピレン、および２〜１５重量％のジエンのターポリマーを含む、請求項１〜１４のいずれかに記載のポリマー系。
【請求項１６】
ターポリマーが、２０〜４５重量％のプロピレンを含有する、請求項１５に記載のポリマー系。
【請求項１７】
ジエンが、１,４-ヘキサジエン、ノルボルナジエン、エチリデン−ノルボルネン、ジシクロペンタジエン、ブタジエンおよびイソプレンからなる群より選択される、請求項１５または１６に記載のポリマー系。
【請求項１８】
エラストマーゴムが、３５重量％未満のエチレンを含有するエチレンおよびプロピレンのコポリマーを含む、請求項１〜１１のいずれかに記載のポリマー系。
【請求項１９】
半結晶性オレフィンポリマーが、１〜３５重量％で存在するエチレンおよび６５〜９９重量％で存在するＣ３-Ｃ２０のα−オレフィンからなる群より選択される少なくとも１つのコモノマーのコポリマーである、請求項１〜１８のいずれかに記載のポリマー系。
【請求項２０】
接着剤が、１５〜９５重量％の量で少なくとも１つのポリマー系を含む、請求項１〜１９のいずれかに記載の接着剤。
【請求項２１】
接着剤が、さらに、１つ以上の粘着付与剤、および／または１つ以上のワックス、および／または可塑剤、充填剤、油、安定化剤、抗酸化剤、顔料、染料、ポリマー添加剤、脱泡剤、防腐剤、増粘剤、レオロジー変性剤、保湿剤、マスターバッチおよび水から選択される１つ以上の添加剤を含む、請求項１〜２０のいずれかに記載の接着剤。
【請求項２２】
ａ）少なくとも１つのポリマー系、２０〜８０重量％；
ｂ）少なくとも１つの粘着付与剤、５〜８０重量％；
ｃ）少なくとも１つのワックス、０〜５０重量％；および
ｄ）少なくとも１つの添加剤、０〜３０重量％
を含む、請求項１〜２１のいずれかに記載の接着剤。
【請求項２３】
少なくとも３０重量％の少なくとも１つのポリマー系を含む接着剤であって、該接着剤が１００〜５００,０００ｍＰａｓの粘度を有し、ここで、該粘度は該接着剤の適用温度で測定される、請求項１〜２２のいずれかに記載の接着剤。